(57)【要約】      （修正有）【課題】無線ネットワーク間の位置特定サービスで支援される移行を提供する。【解決手段】ユーザ制御及びユーザ開始の下で、ＧＰＳ等のシステムから入手可能な位置特定情報が、ワイドエリアネットワークと無線ローカルエリアネットワーク（ＷＬＡＮ）の間で、ハンドセット等のモバイルクライアントを移行させるのに使用され、また、２つ以上のＷＬＡＮの間で、例えば、異なる範囲及び異なるデータ転送速度を有するＷＬＡＮの間で移行させるのに使用することもできる。移行は、モバイル・クライアントが、「古い」ネットワークを介して「新しい」ネットワークに対して認証され、「古い」ネットワークから接続解除し、関連する回路をオフにし、「新しい」ネットワークに接続するのに必要な回路をオンにした後、その「新しい」ネットワークに接続して、任意の時点で１つの周波数帯域上でのみ伝送を行うことにより、相互干渉や受信機の感度低下等の問題を克服する。【選択図】図２
2004180292.tif 000002
【特許請求の範囲】
【請求項１】
２つの異なるネットワーク間でモバイル・クライアントを移行させる方法であって、
第１の無線伝送モジュールおよび第２の無線伝送モジュールを含むモバイル・クライアントを第１のネットワークにおいて確立するステップと、
前記モバイル・クライアントが第２のネットワークの捕捉区域に入ったことを検証するステップと、
前記第１のネットワークから前記第２のネットワークに前記モバイル・クライアントを移行させるステップであって、
前記第１のネットワークに関連する前記モバイル・クライアント内部の前記第１の無線伝送モジュールからの伝送を止めるステップと、
前記第２のネットワークに関連する前記モバイル・クライアント内部の前記第２の無線伝送モジュールからの伝送を開始するステップと、
前記モバイル・クライアントを前記第２のネットワークに接続するステップとを含むステップとを含む方法。
【請求項２】
前記第１の無線伝送モジュールが、前記第２の無線伝送モジュールによって使用される形式とは異なる形式で伝送を行う請求項１に記載の２つの異なるネットワーク間でモバイル・クライアントを移行させる方法。
【請求項３】
前記第１のネットワークが、ワイド・エリア・ネットワーク（ＷＡＮ）である請求項１に記載の２つの異なるネットワーク間でモバイル・クライアントを移行させる方法。
【請求項４】
前記第２のネットワークが、無線ローカル・エリア・ネットワーク（ＷＬＡＮ）である請求項１に記載の２つの異なるネットワーク間でモバイル・クライアントを移行させる方法。
【請求項５】
前記第２のネットワークにアクセスするために前記モバイル・クライアントを認証するステップをさらに含む請求項１に記載の２つの異なるネットワーク間でモバイル・クライアントを移行させる方法。
【請求項６】
前記検証するステップが、
前記モバイル・クライアントの位置を特定するステップと、
前記モバイル・クライアントの前記特定された位置が前記第２のネットワークの前記捕捉区域に入っているかどうかを判定するステップとを含む請求項５に記載の２つの異なるネットワーク間でモバイル・クライアントを移行させる方法。
【請求項７】
前記モバイル・クライアントの前記位置が、前記モバイル・クライアント内部のナビゲーション・システムによって特定される請求項６に記載の２つの異なるネットワーク間でモバイル・クライアントを移行させる方法。
【請求項８】
前記ナビゲーション・システムが、静止衛星を使用する請求項７に記載の方法。
【請求項９】
前記ナビゲーション・システムが、地球投影位置決定衛星（ＧＰＳ）システムである請求項７に記載の２つの異なるネットワーク間でモバイル・クライアントを移行させる方法。
【請求項１０】
前記移行が、前記モバイル・クライアントのユーザによって手動で開始される請求項１に記載の２つの異なるネットワーク間でモバイル・クライアントを移行させる方法。
【請求項１１】
前記移行させるステップが、プライバシー遵守およびプライバシー認証を含む無線サービスの選択の自動化され、個人設定され、最適化されたプロセスを介してデータ・ソースにアクセスするユーザ同意に導き、前記自動化されたプロセスが、前記ユーザに関する相対情報および絶対情報を提供して、前記ユーザが、より良好な無線サービス提供が行われるように自らの位置を変更することを選択することが可能にされる請求項１０に記載の２つの異なるネットワーク間でモバイル・クライアントを移行させる方法。
【請求項１２】
前記第１のネットワークが、セルラー電話網であり、前記第２のネットワークが、８０２．１１標準に準拠する請求項１に記載の２つの異なるネットワーク間でモバイル・クライアントを移行させる方法。
【請求項１３】
２つの異なるネットワーク間でモバイル・クライアントを移行させるための装置であって、
第１の無線伝送モジュールおよび第２の無線伝送モジュールを含むモバイル・クライアントを第１のネットワークにおいて確立するための手段と、
前記モバイル・クライアントが第２のネットワークの捕捉区域に入ったことを検証するための手段と、
前記第１のネットワークから前記第２のネットワークに前記モバイル・クライアントを移行させるための手段であって、
前記第１のネットワークに関連する前記モバイル・クライアント内部の前記第１の無線伝送モジュールからの伝送を止めるための手段と、
前記第２のネットワークに関連する前記モバイル・クライアント内部の前記第２の無線伝送モジュールからの伝送を開始するための手段と、
前記モバイル・クライアントを前記第２のネットワークに接続するための手段とを含む手段とを含む装置。
【請求項１４】
前記第１の無線伝送モジュールが、前記第２の無線伝送モジュールによって使用される形式とは異なる形式で伝送を行う請求項１３に記載の２つの異なるネットワーク間でモバイル・クライアントを移行させるための装置。
【請求項１５】
前記第１のネットワークが、ワイド・エリア・ネットワーク（ＷＡＮ）である請求項１３に記載の２つの異なるネットワーク間でモバイル・クライアントを移行させるための装置。
【請求項１６】
前記第２のネットワークが、無線ローカル・エリア・ネットワーク（ＷＬＡＮ）である請求項１３に記載の２つの異なるネットワーク間でモバイル・クライアントを移行させるための装置。
【請求項１７】
前記第２のネットワークにアクセスするために前記モバイル・クライアントを認証するための手段をさらに含む請求項１３に記載の２つの異なるネットワーク間でモバイル・クライアントを移行させるための装置。
【請求項１８】
前記検証するための手段が、
前記モバイル・クライアントの位置を特定するための手段と、
前記モバイル・クライアントの前記特定された位置が前記第２のネットワークの前記捕捉区域に入っているかどうかを判定するための手段とを含む請求項１７に記載の２つの異なるネットワーク間でモバイル・クライアントを移行させるための装置。
【請求項１９】
前記モバイル・クライアントの前記位置を前記特定するための手段が、前記モバイル・クライアント内部のナビゲーション・システムを含む請求項１６に記載の２つの異なるネットワーク間でモバイル・クライアントを移行させるための装置。
【請求項２０】
前記ナビゲーション・システムが、静止衛星を使用する請求項１９に記載の２つの異なるネットワーク間でモバイル・クライアントを移行させるための装置。
【請求項２１】
前記ナビゲーション・システムが、地球投影位置決定衛星（ＧＰＳ）システム・モジュールを含む請求項１９に記載の２つの異なるネットワーク間でモバイル・クライアントを移行させるための装置。
【請求項２２】
前記移行させるための手段が、前記モバイル・クライアントのユーザによって手動で開始される請求項１３に記載の２つの異なるネットワーク間でモバイル・クライアントを移行させるための装置。
【請求項２３】
前記移行させるための手段が、プライバシー遵守およびプライバシー認証を含む無線サービスの選択の自動化され、個人設定され、最適化されたプロセスを介してデータ・ソースにアクセスするユーザ同意に導き、前記自動化されたプロセスが、前記ユーザに関する相対情報および絶対情報を提供して、前記ユーザが、より良好な無線サービス提供が行われるように自らの位置を変更することを選択することが可能にされる請求項２２に記載の２つの異なるネットワーク間でモバイル・クライアントを移行させるための装置。
【請求項２４】
前記第１のネットワークが、セルラー電話網であり、前記第２のネットワークが、８０２．１１標準に準拠する請求項１３に記載の２つの異なるネットワーク間でモバイル・クライアントを移行させるための装置。
【発明の詳細な説明】
【技術分野】
【０００１】
本発明は、モバイル・クライアントが代替の無線ワイド・エリア・ネットワークおよび無線ローカル・エリア・ネットワークにアクセスすることができる無線システムに関する。より詳細には、本発明は、ワイド・エリア・ネットワークとローカル・エリア・ネットワークの間で、および複数のローカル・エリア・ネットワーク間で移行することに関する。
【背景技術】
【０００２】
２つ（またはそれより多く）の、並存するが別個の無線システムから成る混合のデータ中心無線通信環境では、無線モバイル・クライアントが、複数のシステムに接続できること、および異なるシステム間で切替えを行うことができることが望ましい。モバイル・クライアントを接続することができることが望ましい構成システムの例には、以下が含まれる。すなわち、
【０００３】
システムＡ−場所および範囲が限られて、短距離（高いデータ転送速度、場合により、無許可の帯域使用、および低コスト）メンバ（たとえば、８０２．１１標準に準拠する無線ローカル・エリア・ネットワーク（ＷＬＡＮ））の無線システム。このシステムでは、サービス品質情報が提供される。
【０００４】
システムＢ−長距離範囲のユビキタス・カバレッジ（ｕｂｉｑｕｉｔｏｕｓ  ｃｏｖｅｒａｇｅ）を有する無線システム、すなわち、ワイド・エリア・ネットワーク（ＷＡＮ）であるが、データ転送速度（システムＡと比べて）が低い、たとえば、高いデータ転送コスト／加入契約を有するＧＳＭ／ＧＰＲＳセルラー網。このシステムでは、通常、モバイル装置が、長距離リンクにおいて高い無線周波数電力レベルで伝送を行うことが必要とされる。
さらに、多くの状況で、モバイル・クライアントをシステムＡまたはシステムＢどちらかの一般タイプの複数の別個のシステムに接続できることが望ましい。
【０００５】
この環境では、以下のシナリオにおいてインテリジェントに、有利に移行することができる単一のデバイスにこれらのシステムのクライアント機能を組み合わせるモバイル・クライアント・システム（たとえば、無線、ＰＤＡ）が貴重である（クライアント・システム・コストがより低くなるという理由で）。すなわち、
シナリオ１−たとえば、システムＡが範囲外にあり、システムＢだけが利用可能であるため、システムＡからシステムＢへの移行。
シナリオ２−たとえば、システムＡが利用可能であり、システムＡが、システムＢより安価なより高い品質のデータ・サービスを提供するが、クライアント・システムＢの機能がオフにされているため、システムＢからシステムＡへの移行。
シナリオ３−モバイル回路が、より多くのデータが用意されていることを知らせるデータをピックアップし、システムＡが利用可能になった際に後に追加のデータを獲得することの方がより安価で、より迅速である場合に、タグまたはリンクを選択した後のシステムＢからシステムＡへの移行。
【０００６】
一般的なケースには、複合モバイル・クライアント・システムは、バッテリを電源とするデバイスであるので電力消費に敏感であり、かつ／またはモバイル・クライアントは、電力の制約されたモジュール・インターフェースを介する密閉された無線モジュール（ＰＣカードなどの）を供給するホスト・システムから成る。このシナリオでは、クライアント無線システムの個々の無線システム調整要件を満たすように制御された仕方で一方のクライアント・システムＡ、またはＢをオフにすることが必要である。
【０００７】
背景技術のシステムは、混合無線システム環境において移行することを説明しているが、これらのシステムは、両方のシステムが並存することが可能な状況にも関する。これらの従来技術のシステムは、両方のシステムにおける無線移行間の干渉に関連する問題を認識し、その問題に対処することができない。そのようなシステムにおいては、モバイル・クライアントは、システムＢのカバレッジの区域内に入っていることを経験（記憶）によって知り、クライアント・システムＢにおいて手動で切替えを行わなければならない。というのは、従来のモバイル・クライアントで使用されている無線システムは、感度がよく、相互干渉をもたらすからである。
【発明の開示】
【発明が解決しようとする課題】
【０００８】
ワイド・エリア・ネットワークとローカル・エリア・ネットワークの両方においてデバイスの使用を可能にするよりよい方法およびシステムが求められている。
【課題を解決するための手段】
【０００９】
本発明の原理に従って、第１の無線伝送モジュールと第２の無線伝送モジュールを含むモバイル・クライアントが、第１のネットワークにおいてモバイル・クライアントを確立することによって２つの異なるネットワーク間で移行する。モバイル・クライアントは、（１）第１のネットワークに関連するモバイル・クライアント内部の第１の無線伝送モジュールからの伝送を止めること、（２）第２のネットワークに関連するモバイル・クライアント内部の第２の無線伝送モジュールからの伝送を開始すること、および（３）モバイル・クライアントを第２のネットワークに接続することによって第１のネットワークから第２のネットワークに移行する。
【００１０】
本発明の原理によれば、ユーザ制御およびユーザ開始の下で、グローバル・ポジショニング・システム（ＧＰＳ）などのナビゲーション・システムから入手可能な位置特定情報を使用して、セルラー電話網などのワイド・エリア・ネットワーク（ＷＡＮ）と、８０２．１１標準に準拠するシステムなどの無線ローカル・エリア・ネットワーク（ＬＡＮ）の間で（ならびに、その逆で）、ハンドセットなどのモバイル・クライアントを有利に移行させる。本発明を使用して、２つまたはそれより多くのＷＬＡＮの間で、たとえば、異なる範囲および異なるデータ転送速度を有するＷＬＡＮの間で移行することができる。
【００１１】
移行は、「ブレイク・ビフォア・メイク（ｂｒｅａｋ−ｂｅｆｏｒｅ−ｍａｋｅ）」タイプのものである。言い換えれば、モバイル・クライアントは、１つのネットワークから接続解除し、関連する無線回路をオフにしてから、別のネットワークに接続するのに必要とされる無線回路をオンにし、そのネットワークに実際に接続する。これにより、モバイル・クライアントが任意の所与の時点で１つの周波数帯域でだけ伝送を行うことが確実にされることで、相互干渉や受信機の感度低下などの問題が克服される。これを達するため、モバイル・クライアントは、「古い」ネットワークを介して「新しい」ネットワークに対して認証される。
【００１２】
システムＡまたはシステムＢのタイプの前述したシステムと並び、以下のタイプのシステムが、ほとんどの場所において一般に利用可能である。すなわち、
システムＣ−システムＡの場所およびカバレッジを推定することができる解釈可能な位置特定情報（たとえば、ＴＤＭＡ（ＧＳＭ／ＧＰＲＳ）セルラー・システム（すなわち、いくつかのシステムＢ）またはＧＰＳ（使用が無料のグローバル・ポジショニング・システム）における三角測量および時間差による位置推定。このシステムは、使用が低コストであると考えることができる。このシステムは、システムＢの一部であることも、別個であることも可能である。
【発明を実施するための最良の形態】
【００１３】
図面を参照して以下により詳細に説明するとおり、本発明では、システムＣの一般タイプのナビゲーション・システムまたは位置特定システムからの情報を使用して、モバイル・クライアントがシステムＡおよび／またはシステムＢの一般タイプのシステム間で移行するのが支援される。
【００１４】
図１は、無線ローカル・エリア・ネットワーク（ＷＬＡＮ）１１０、ワイド・エリア・ネットワーク（ＷＡＮ）１２０（すなわち、セルラー無線システム）、および位置特定システム１３０に関連するモバイル・クライアント１００、たとえば、可搬電話機を示している。位置特定システム１３０は、たとえば、ＧＰＳナビゲーション衛星などのナビゲーション情報の任意の遠隔ソースであることが可能である。
【００１５】
図２は、モバイル・クライアント１００、ワイド・エリア・セルラー基地局１２０、１次ＷＬＡＮシステム２１０、および２次ＷＬＡＮシステム２４０を示している。１次ＷＬＡＮシステム２１０および２次ＷＬＡＮシステム２４０を使用して、たとえば、建造物の内部および外部でカバレッジを提供することができる。１次ＷＬＡＮ２１０は、より高いデータ転送速度を有するが、屋内使用向けにより短い範囲を有し、他方、２次ＷＬＡＮシステム２４０は、より低いデータ転送速度を有するが、屋外使用向けにより広い範囲を有する。
【００１６】
図３は、モバイル・クライアント１００、ならびに連続するＷＬＡＮ３１０、３４０、および３７０を示す通りの図である。ユーザは、通りに沿って通過するにつれ、ＷＬＡＮ３１０、３４０、および３７０に順にアクセスして、それぞれ前のシステムより短い範囲を有するが、より詳細な情報を提供する順により高いデータ転送速度の伝送にアクセスすることができる。
【００１７】
本発明によるＷＡＮからＷＬＡＮへの移行の流れ図を図４に示している。ステップ４００で、ユーザが、「ベクトル・ボタン」を押して移行モードに入り、ステップ４１０で、ＷＬＡＮ捕捉区域に入ったかどうかの判定が行われる。ＷＬＡＮ捕捉区域に入っていない場合、ステップ４２０で、ＷＬＡＮに対するクライアント位置が処理され、ステップ４３０で、その位置が表示される。ＷＬＡＮ捕捉区域に入っている場合、ステップ４４０で、ユーザＷＬＡＮアクセスの認証が行われ、クライアント構成が事前に開始され、ステップ４５０で、ＷＡＮモジュールがオフにされて、クライアントがＷＡＮから出て、ステップ４６０で、ＷＬＡＮモードがオンにされ、モバイル・クライアントがＷＬＡＮに接続する。次に、ステップ４７０で、ＷＬＡＮに対するモバイル・クライアント・アクセスを許すかどうかの判定が行われる。モバイル・クライアントがアクセスを許される場合、ステップ４８０で処理は完了し、モバイル・クライアントがアクセスを許されない場合、モバイル・クライアントは、ステップ４９０で再試行を行う。
【００１８】
ＷＬＡＮからＷＡＮへの移行、または異なる範囲および異なるデータ転送速度を有する複数のＷＬＡＮの間の移行に関与するステップは、ＷＡＮからＷＬＡＮへの移行に関して前述したステップと同様であることが、当分野の技術者には、もちろん、認められよう。
【００１９】
図５および６は、さまざまな無線システム間の周波数の隔たりを示して、相互無線周波数干渉および受信機の感度低下の可能性を理解することを助けている。
【００２０】
図５は、第１のモバイル・クライアント５００および第２のモバイル・クライアント５１０を示し、ＧＳＭに関する送信通過帯域５２０、および受信通過帯域５３０を示している。
【００２１】
図６は、さまざまな無線電話システムに関する送信通過帯域および受信通過帯域を示している。送信通過帯域および受信通過帯域はそれぞれ、８５０ＭＨｚシステムおよび９００ＭＨｚシステムに関して６００および６１０であり、ＤＣＳ１８００ＭＨｚシステムに関して６２０および６３０であり、またＰＣＳ１９００ＭＨｚシステムに関して６４０および６５０であり、２４００〜２４８３ＭＨｚシステムに関する通過帯域を６６０で示している。
【００２２】
図７は、本発明の実施形態によるモバイル・クライアントを示すブロック図である。この図は、本発明による回路の多くの可能な実施形態の１つだけを示しており、本発明の範囲を逸脱することなく多数の実施形態が可能であることが、当分野の技術者には認められよう。ＷＡＮ回路は、ＳＩＭインターフェース７０２と、フラッシュメモリ７０６およびＳＲＡＭ７０８を備えたデジタル信号プロセッサ（ＤＳＰ）７０４と、支援されたＧＰＳロケータ・ハードウェア７０９と、発振器７１２を備えた従来の信号プロセッサ７１０と、電圧制御された発振器７１６を備えたトライバンド・トランシーバ７１４と、さらなる電圧制御された発振器７１８と、電圧増幅器モジュール７２０と、受信機フロントエンドモジュール７２２と、ヘッドセット・ジャック７２４とを含む。集中電力管理モジュール７２６、およびオプションの分散電力管理モジュール７２８が提供され、貯留キャパシタ７３０および電源スイッチ７３２も提供される。ＷＬＡＮ回路は、ＰＣカード・インターフェース７３４と、ＥＥＰＲＯＭ７３８を備えた独自のプロセッサ７３６と、ＳＲＡＭ７４０およびフラッシュメモリ７４２と、発振器７４４と、ＤＳＰ７４６と、直接変換直接シーケンス拡散スペクトル・トランシーバ７４８と、電力増幅器モジュール７５０と、フィルタ７５２と、送信／受信スイッチ７５４とを含む。
【００２３】
図８は、本発明の実施形態によるモバイル・クライアントのためのＰＣカードのレイアウトを示している。示した回路ブロックは、ＧＰＲＳ構成ブロック８００、ＧＰＲＳトランシーバ８０５、ＧＰＲＳ電力増幅器８１０、ＧＰＲＳ電源８１５、ＷＬＡＮ独自プロセッサ８２０、ＷＬＡＮ電源８２５、ＷＬＡＮ発振器８３０、ＷＬＡＮトランシーバ８３５、ＷＬＡＮメモリ８４０、ＳＩＭカード８４５、ＷＬＡＮ  ＤＳＰ８５０、ＷＬＡＮ電力増幅器８５５、多種多様なＷＬＡＮ回路８６０、オプション支援されたＧＰＳハードウェア８８５、およびアンテナ８９０である。ＰＣカードは、内部領域８６５と外部領域８７０に分割される。図は、ボードのシック構成要素側８７５とシン構成要素側８８０を示している。
【００２４】
一般に、ＷＬＡＮサービスとＧＰＲＳセルラー（ＷＡＮ）サービス間の位置特定によって支援される移行の本発明により、以下が可能になる。すなわち、
ａ）ＷＬＡＮへのアクセスがより容易になり、認証に適応可能な仕方で行われること、およびスイッチオーバーがユーザから、間に合うように封じ込められること、
ｂ）セルラー・ワイド・エリア・ネットワーク（ＷＡＮ）メッセージ交換を使用する認証を行ってから、無線ローカル・エリア・ネットワーク（ＷＬＡＮ）に移行すること、
ｃ）ネットワーク事業者以外のデータ網が利用可能な場合にそのデータ網を利用する効果的で適応可能なコストの使用法、
ｄ）ＲＦ干渉を最小限に抑えながら相異なる無線システム間で移行すること、
ｅ）データ接続のためにより低い電力のＲＦシステムが利用可能な場合、そのシステムを使用することに自動的に移行し、モバイル・クライアント・デバイスによって放出される高い電力放射の量を削減すること、
ｆ）位置特定による支援された移行が、差別的な無線データ・サービスを提供することが可能であり、物理環境、たとえば、建造物および通りに関連付けることが可能な時間および場所をセットアップする。データ・サービスにおいて、捕捉範囲のファネリング（ｆｕｎｎｅｌｌｉｎｇ）または区分化、たとえば、映画館に向かって通りを進み、ネットワーク３１０、３４０、および３７０から次第により高い品質の無線リンク材料を提供されるモバイル・ユーザの平面図に関して図３を参照されたい。
【００２５】
シナリオ１（図１参照）で、モバイル・クライアントは、ワイド・エリア・ネットワーク（ＷＡＮ）システムと無線ローカル・エリア・ネットワーク（ＷＬＡＮ）システムをともに有し、両システムにおいて、システム電源使用を低く抑え、データ呼出しコストを安く抑えることが必要である。モバイル・クライアント・ハードウェアは、モバイル・クライアント・ハードウェア上で、たとえば、ホスト・システムの電力規格に適合する取外し可能なモジュール（ＰＣカードなどの）として無線システムを有するホスト・システムから成るモバイル・クライアント・ハードウェア上で両無線クライアント・システムの同時の動作をサポートするように十分な電力を供給することができることに制限を有する可能性がある。また、モバイル・クライアントは、無線周波数干渉による受信機感度の相互の低下に起因して、無線ローカル・エリア・ネットワーク（ＷＬＡＮ）システムと無線ワイド・エリア・ネットワーク（ＷＡＮ）システムの両方で動作することができることにも制限を有する。
【００２６】
モバイル・クライアントは、ＷＬＡＮ（システムＢ）に対するデータ接続から移り、ＧＰＲＳデータ接続が使用不可にされ、範囲に起因してＷＬＡＮ信号が失われ、したがって、モバイル・クライアントは、よりコストのかかるＧＰＲＳ（システムＡ）に接続を行う。モバイル・クライアント・ユニットは、モバイル・クライアント内部のＷＬＡＮモジュールをオフにしてから、ＧＰＲＳシステムをオンにする。
【００２７】
シナリオ２で、モバイル・クライアントは、ＧＰＲＳリンクを行っているが、利用可能なＷＬＡＮを使用する方がより費用対効果が高く、品質もより高い。ただし、モバイル・クライアントは、電力の理由で、ＲＦ  ＥＭＣ（電磁適合性）干渉の理由で、またはＲＦ並存の理由でＷＬＡＮをオフにしている。セルラー規格により、モバイル装置は、オフにされており、セルラー・リンクが使用不可にされていない限り、ページング・ブロックを受け取る準備ができていなければならないと決められている。ただし、モバイル・クライアントは、位置特定情報を受け取ることによってカバレッジの領域内に入っていることを知っている場合、ＷＬＡＮに接続することができる。８０２．１１  ＷＬＡＮ標準は、データ転送速度とシステム範囲のトレードオフを行うことを可能にするので、ＷＬＡＮシステムが、図２に示すとおり、より高いデータ転送速度のより短い範囲のネットワーク２１０（建造物内のオフィスにおける）の周りでより大きいデータ捕捉領域２４０（たとえば、建造物の周辺）から構成される可能性があることが考えられる。位置特定情報は、セルラー網（たとえば、ＳＭＳ、ＧＰＲＳ、またはＷＡＰ）を介して、または別個の位置特定システム（たとえば、モバイル・クライアント上のＧＰＳ）から受け取られる。次に、モバイル・クライアントが、自らのＧＰＲＳ接続を終了し、ＧＰＲＳ／ＧＳＭセルラーの電源をオフにした後、ＷＬＡＮシステムに電源を投入するかどうかを判定する。これは、事前情報および意思決定に基づく「ブレイク・ビフォア・メイク」接続である。
【００２８】
また、モバイル・クライアントは、この移行の時間を使用して、ＷＬＡＮへのアクセスが許される前に、セルラー網を介して（ＷＬＡＮホーム・ネットワークに戻るように）認証（またはプロファイル情報転送）を開始することもできる。
【００２９】
ＷＬＡＮベースのセンタに来るモバイル・クライアントに関する移行の時間と場所の確立を使用して、モバイル・クライアントがＷＬＡＮ区域に入った際に備える一部のアクションをあらかじめ開始することができる。
【００３０】
例としては、訪問中の販売代理人が、プレゼンテーションを見せ、メインテナンス検査を行うことを所望する。販売代理人は、顧客から位置特定情報を受け取り、その位置特定情報を介して顧客のＷＬＡＮに誘導される。
【００３１】
以上のシナリオでは、本発明は、インテリジェントな移行の使用を開始し、設定する「ベクトル・ボタン」をモバイル・クライアント上で提供する。たとえば、
モバイル・ユーザがワイド・エリア・システムＢの区域内にいて、電子メールに関連する大きいデータ・ファイル添付ファイルが存在することを示す小さい電子メール・テキスト・メッセージを受信する。この添付ファイルを獲得するのにシステムＢを使用することは余りにもコストが高いため、またデータ転送速度などのその他の理由で、ユーザは、モバイル・クライアント上の「ベクトル・ボタン」を押してシステムＡへの移行を開始する。
【００３２】
「ベクトル・ボタン」は、もちろん、タッチスクリーン上の領域を含む任意の形態のボタンまたはスイッチであること、あるいはユーザが何らかの適切な語または句を発話して移行を開始する音声によって作動させられる切替え手段であることさえ可能である。また、本発明の範囲内で、一部の状況下で自動移行が行われることも企図されている。
【００３３】
本発明を本発明の例示的な実施形態に関連して説明してきたが、当分野の技術者は、本発明の趣旨および範囲を逸脱することなく、本発明の前述した実施形態にさまざまな変更を加えることができよう。
本発明の特徴および利点は、図面を参照する以上の説明から、当分野の技術者には明白となろう。
【図面の簡単な説明】
【００３４】
【図１】複数の無線システムに関係するモバイル・クライアントを示す図である。
【図２】１次ＷＬＡＮおよび２次ＷＬＡＮを有する構成を示す図である。
【図３】複数のＷＬＡＮを有する構成を示す図である。
【図４】ＷＡＮからＷＬＡＮへの移行を示す流れ図である。
【図５】送信通過帯域および受信通過帯域を示す図である。
【図６】複数の無線システムに関する通過帯域を示す図である。
【図７】本発明の実施形態による回路を示すブロック図である。
【図８】本発明の実施形態によるＰＣカード上の回路構成要素のレイアウトを示す図である。
【図１】
2004180292.tif 000003
【図２】
2004180292.tif 000004
【図３】
2004180292.tif 000005
【図４】
2004180292.tif 000006
【図５】
2004180292.tif 000007
【図６】
2004180292.tif 000008
【図７】
2004180292.tif 000009
【図８】
2004180292.tif 000010
【外国語明細書】
2004180292.tif 000011
2004180292.tif 000012
2004180292.tif 000013
2004180292.tif 000014
2004180292.tif 000015
2004180292.tif 000016
2004180292.tif 000017
2004180292.tif 000018
2004180292.tif 000019
2004180292.tif 000020
2004180292.tif 000021
2004180292.tif 000022
2004180292.tif 000023
2004180292.tif 000024
2004180292.tif 000025
2004180292.tif 000026
2004180292.tif 000027
2004180292.tif 000028
2004180292.tif 000029
2004180292.tif 000030
2004180292.tif 000031
2004180292.tif 000032
2004180292.tif 000033
2004180292.tif 000034
2004180292.tif 000035